(57)【要約】【課題】大容量な設定情報記憶部や光ディスク識別部を用いずに、ユーザーが指定した任意の再生単位に対して、ユーザーが指定した映像設定値、音声設定値を元に自動で映像設定値、音声設定値を変更しながら、プログラムやプログラムリストを再生できる光ディスク再生装置を提供することを目的とする。【解決手段】プレイヤーに映像設定値、音声設定値の記憶する設定情報記憶部を必要とせず、記憶できる枚数が制限されることもない。また、光ディスク識別部を必要とせず、映像設定値、音声設定値を記憶後、光ディスクが追記、編集された場合にも、ユーザーが指定した映像設定値、音声設定値を元に自動で映像設定値、音声設定値を変更しながら、プログラムやプログラムリストを再生できる。【選択図】図１
2005310296.tif 000002
【特許請求の範囲】
【請求項１】
光ディスクに記録された映像・音声データおよびディスク管理情報を読み出す読出手段と、
ユーザーの指示を受け付ける入力手段と、
現在再生されている前記光ディスクの再生位置を判断する再生位置判断部と、
前記読出手段で読み出された映像・音声データを加工するデータ加工部と、
前記データ加工部により加工された映像・音声データを再生する再生手段と、
前記光ディスクに記録された映像・音声データのうち、任意区間の映像・音声データの開始位置と終了位置と前記データ加工部で加工するための映像・音声データ変更指示を、前記光ディスクへ記録するための書込手段と、
前記書込手段により前記光ディスクに記録された任意区間の映像・音声データの開始位置と終了位置と前記データ加工部で加工するための映像・音声データ変更指示を元に、前記データ加工部の制御を行うシステム制御部とを備えたことを特徴とする光ディスク記録再生装置。
【請求項２】
光ディスクに記録された映像・音声データおよびディスク管理情報を読み出す読出手段と、
現在再生されている前記光ディスクの再生位置を判断する再生位置判断部と、
前記読出手段で読み出された映像・音声データを加工するデータ加工部と、
前記データ加工部により加工された映像・音声データを再生する再生手段と、
前記光ディスクに記録された任意区間の映像・音声データの開始位置と終了位置と前記データ加工部で加工するための映像・音声データ変更指示を元に、前記データ加工部の制御を行うシステム制御部とを備えたことを特徴とする光ディスク記録再生装置。
【発明の詳細な説明】
【技術分野】
【０００１】
本発明は、光ディスク記録・再生装置に関するものである。
【背景技術】
【０００２】
近年、光ディスク記録・再生装置は、ＤＶＤ−ＲＡＭの登場によって、ますます多種多様なコンテンツの記録・再生が求められている。ＤＶＤ−ＲＡＭのような記録が可能なディスクを使えば、プログラムやプログラムリストなどの再生単位毎に多種多様なコンテンツが含まれる場合がある。
【０００３】
しかし、従来のＤＶＤプレイヤーでは、プレイヤーに挿入された各光ディスクにおいて、光ディスクの全コンテンツに対して、一組の映像設定値、音声設定値しか記憶することができないので、プログラムやプログラムリストなどの再生単位毎に多種多様なコンテンツが含まれる場合には、一部のコンテンツを正常に再生できても、他のコンテンツをユーザーが望んだ状態で再生できない。
【０００４】
課題解決のためには、ユーザーが指定した任意の再生単位に対して、ユーザーが指定した映像設定値、音声設定値を元に自動で映像設定値、音声設定値を変更しながら、プログラムやプログラムリストを再生する必要がある。
【０００５】
図５に前記課題を解決するためのＤＶＤプレイヤーを示す。光ディスク２１に記録された映像・音声データおよびディスク管理情報を読み出す読出手段２２と、ユーザーの指示を受け付ける入力手段２６と、前記読出手段２２で読み出されたディスク管理情報から現在再生されている前記光ディスク２１を識別する光ディスク識別部２４と、現在再生されている前記光ディスクの再生位置を判断する再生位置判断部２３と、前記読出手段で、読み出された映像・音声データを加工する映像データ加工部２８、音声データ加工部２９と、前記映像データ加工部２８と音声データ加工部２９により加工された映像・音声データを再生する再生手段３０と、前記光ディスク２１に記録された映像・音声データのうち、任意区間の映像・音声データの開始位置と終了位置と前記映像データ加工部２８と音声データ加工部２９で加工するための映像・音声設定値とが前記入力手段２６を介して入力された複数の区間について記憶する設定情報記憶部２７と、前記設定情報記憶部２７に記憶された設定値を元に前記光ディスク２１から次に読み出す映像・音声データ、およびディスク管理情報を制御するシステム制御部２５とを備えている。
【特許文献１】特開２００２−３１３０６９号公報
【発明の開示】
【発明が解決しようとする課題】
【０００６】
しかし、図５の構成では、一枚のディスクに対して記憶する必要がある情報量が増えるため、従来以上に大容量な設定情報記憶部が必要になる。したがって、コストアップになるという問題が発生する。
【０００７】
また、光ディスクが追記や編集をされた場合に、同一ディスクと識別することは困難であり、映像設定値／音声設定値を再設定／再記憶する必要があり、煩雑であるという問題もあった。
【０００８】
本発明は、大容量な設定情報記憶部や光ディスク識別部を用いずに、ユーザーが指定した任意の再生単位に対して、ユーザーが指定した映像設定値、音声設定値を元に自動で映像設定値、音声設定値を変更しながら、プログラムやプログラムリストを再生できる光ディスク再生装置を提供することを目的とする。
【課題を解決するための手段】
【０００９】
この目的を達成するために本発明の光ディスク記録再生装置は、光ディスクに記録された映像・音声データおよびディスク管理情報を読み出す読出手段と、ユーザーの指示を受け付ける入力手段と、現在再生されている前記光ディスクの再生位置を判断する再生位置判断部と、前記読出手段で読み出された映像・音声データを加工するデータ加工部と、前記データ加工部により加工された映像・音声データを再生する再生手段と、前記光ディスクに記録された映像・音声データのうち、任意区間の映像・音声データの開始位置と終了位置と前記データ加工部で加工するための映像・音声データ変更指示を、前記光ディスクへ記録するための書込手段と、前記書込手段により前記光ディスクに記録された任意区間の映像・音声データの開始位置と終了位置と前記データ加工部で加工するための映像・音声データ変更指示を元に、前記データ加工部の制御を行うシステム制御部とを備えたものである。
【００１０】
本発明は、ユーザーが指定した任意の再生単位に対して、ユーザーが指定した映像設定値、音声設定値の記憶領域を、光ディスク上に配置することを主要な特徴とする。
【発明の効果】
【００１１】
ユーザーが指定した任意の再生単位に対して、ユーザーが指定した映像設定値、音声設定値を元に自動で映像設定値、音声設定値を変更しながら、プログラムやプログラムリストを再生できる光ディスク再生装置を提供する。
【００１２】
本発明により、プレイヤーに映像設定値、音声設定値の記憶する設定情報記憶部を必要とせず、記憶できる枚数が制限されることもない。
【００１３】
本発明により、光ディスク識別部を必要とせず、映像設定値、音声設定値を記憶後、光ディスクが追記、編集された場合にも、ユーザーが指定した映像設定値、音声設定値を元に自動で映像設定値、音声設定値を変更しながら、プログラムやプログラムリストを再生できる。
【発明を実施するための最良の形態】
【００１４】
本発明の請求項１に記載の発明は、光ディスクに記録された映像・音声データおよびディスク管理情報を読み出す読出手段と、ユーザーの指示を受け付ける入力手段と、現在再生されている前記光ディスクの再生位置を判断する再生位置判断部と、前記読出手段で読み出された映像・音声データを加工するデータ加工部と、前記データ加工部により加工された映像・音声データを再生する再生手段と、前記光ディスクに記録された映像・音声データのうち、任意区間の映像・音声データの開始位置と終了位置と前記データ加工部で加工するための映像・音声データ変更指示を、前記光ディスクへ記録するための書込手段と、前記書込手段により前記光ディスクに記録された任意区間の映像・音声データの開始位置と終了位置と前記データ加工部で加工するための映像・音声データ変更指示を元に、前記データ加工部の制御を行うシステム制御部とを備えたものである。
【００１５】
請求項２に記載の発明は、光ディスクに記録された映像・音声データおよびディスク管理情報を読み出す読出手段と、現在再生されている前記光ディスクの再生位置を判断する再生位置判断部と、前記読出手段で読み出された映像・音声データを加工するデータ加工部と、前記データ加工部により加工された映像・音声データを再生する再生手段と、前記光ディスクに記録された任意区間の映像・音声データの開始位置と終了位置と前記データ加工部で加工するための映像・音声データ変更指示を元に、前記データ加工部の制御を行うシステム制御部とを備えたものである。
【００１６】
（実施の形態１）
図１は本発明の光ディスク記録再生装置の実施の形態を示すブロック図で、図において、１は例えばＤＶＤ（デジタル多用途ディスク）よりなる光ディスク、２は光ディスク１に記録された情報を読み出す読込手段、３は光ディスク１に対して情報を書込を行う書込手段で、読込手段２と書込手段３は例えばレーザーダイオードや光ピックアップなどからなる。４は読込手段２で読み出された情報に基づき読み出されている光ディスク１上における再生位置を判断する再生位置判断部、６は使用者によって入力操作が可能な入力手段で、例えば映像データの加工命令や音声データの加工命令などを行うことができる。７はシステム制御部５からの制御により読込手段２で読み込まれた映像データの加工を行う映像データ加工部で、加工の内容としては、例えば画質の設定（シネマ、ソフト、シャープ、ノーマルなど）などがある。８がシステム制御部５からの制御により読込手段２で読み込まれた音声データの加工を行う音声データ加工部で、加工の内容としては、例えば音質の設定（シネマ、ダイナミック、ノーマルなど）音響効果の設定（ホール、クラブ、スタジアム、ノーマルなど）などがある。本実施の形態では、このような映像データ／音声データの加工内容を、コンテンツ毎に記憶させることができる。例えば、光ディスクに録画したコンテンツ（番組）として、映画、コンサート、スポーツ中継があった場合に、映画の場合は映像と音声の設定を「シネマ」にし、コンサートの場合は映像を「ソフト」にし音声を「ホール」にするなどの設定を、任意に行うことができる。９は映像データ加工部７及び音声データ加工部８からの映像音声データを外部に出力する再生手段である。５は各構成を制御するシステム制御部である。
【００１７】
以上のように構成された本実施の形態について、以下その動作について説明する。
【００１８】
ユーザーが指定したプログラムやプログラムリスト毎の映像設定値、音声設定値を記憶する領域として、記録型ＤＶＤであるＤＶＤ−ＶＲ規格のＩＴ＿ＴＸＴ領域を利用して実現する。
【００１９】
光ディスク１上の管理情報１０と映像データ、音声データは、読出手段２により読み出され、再生位置判断部４により再生位置が特定される。映像データ、音声データは、入力手段６により入力された映像設定値と音声設定値を元に、映像データは映像データ加工部７、音声データは音声データ加工部８で加工され、再生手段９から映像音声として出力される。また入力手段４により入力された映像設定値、音声設定値は、書込手段３により、光ディスク１の管理情報領域１０に書き込まれる。読込手段２、書込手段３、映像データ加工部７、音声データ加工部８は５のシステム制御部によって制御されている。
【００２０】
図２は、管理情報１０に書き込まれる映像設定値、音声設定値を示す。ＤＶＤ−ＶＲ規格では、１１のプログラムの情報であるＰＧＩに、１２のタイトル名の他に、１３のＩＴ＿ＴＸＴ＿ＳＲＰ情報が記録される。１３のＩＴ＿ＴＸＴ＿ＳＲＰには、１４のＩＴ＿ＴＸＴ情報の番号が記載され、プログラムとＩＴ＿ＴＸＴ１４を関連付けることができる。１４のＩＴ＿ＴＸＴ領域に、図に示すような一組の映像設定値と音声設定値を記録することで、各プログラムに対して、一組の映像設定値と音声設定値を関連付ける。
【００２１】
次に、システム制御部５の構成を、映像・音声設定値の書き込み動作／読込み動作に基づいて説明する。
【００２２】
図３は本発明実施形態における映像・音声設定情報記録処理の動作手順について示すフロー図である。
【００２３】
光ディスク１に記録されている映像データ、音声データおよびディスク管理情報１０は、読出手段２によって読み出される。
【００２４】
読み出されている光ディスク１の再生位置は、再生位置判断部４で判断され、システム制御部５はステップＳ１において、再生位置判断部７で判断した内容を読込んで、光ディスク１のどの部分を再生しているかという再生位置情報を認識する。
【００２５】
入力手段６において入力された、再生している光ディスク１の映像設定値と音声設定値が入力されると、システム制御部５は、ステップＳ２において検出して、ステップＳ３において、一組の映像・音声設定値として、書込手段３により光ディスク１のディスク管理情報内のＩＴ＿ＴＸＴ１４に書き込む。
【００２６】
ステップ４において、ステップ３で書き込んだＩＴ＿ＴＸＴの番号を、書込手段３により、光ディスク１のディスク管理情報内の再生しているプログラムの管理情報であるＰＧＩ１１のＩＴ＿ＴＸＴ＿ＳＲＰ１３に書き込む。
【００２７】
図４は本発明実施形態における映像・音声設定情報読み込み処理の動作手順について示すフロー図である。
【００２８】
システム制御部５は、ステップＳ５において、これから再生を行うプログラムの管理情報であるＰＧＩ１１を読み込み、ＰＧＩ１１のＩＴ＿ＴＸＴ＿ＳＲＰ１３に基づき、ステップＳ６でＩＴ＿ＴＸＴ１４を読み込む。
【００２９】
システム制御部５は、ステップＳ６において、ＩＴ＿ＴＸＴ１４内に、映像設定情報、音声設定情報が記録されているかを判断し、映像設定情報、音声設定情報がある場合は、ステップＳ８で、Ｓ６で読込んだ映像設定値を映像データ加工部７へ伝え、ステップＳ９で、Ｓ６で読込んだ音声設定値を音声データ加工部８へ伝える。
【００３０】
読込手段２により読み出された映像データは、映像設定値に基づき、映像データ加工部７で加工され、加工された映像データは、再生手段９で映像として出力される。
【００３１】
同様に、読込み手段２により読み出された音声データは、音声設定値に基づき、音声データ加工部８で加工され、加工された音声データは、再生手段９で音声として出力される。
【００３２】
また、システム制御部５は、再生手段９で再生されている映像データおよび音声データを元に、読込手段２が次に読み出すデータを制御する。
【００３３】
このように、ユーザーが指定したプログラムに対して、ユーザーが指定した映像設定値、音声設定値を元に、自動的に映像データ、音声データを加工しながら再生することができ、入力手段６、書込手段３を介して、ディスク管理情報１０に任意のプログラム毎に映像設定値、音声設定値を記憶することで、プレイヤーに、大容量の設定情報記憶部を必要とせず、追記、編集された光ディスクに対しても、ユーザーが指定した映像設定値、音声設定値を元に自動で映像データ、音声データを加工しながら、プログラムやプログラムリストなどの再生単位毎に多種多様なコンテンツデータが含まれる光ディスクを再生できる、光ディスク記録・再生装置が実現できる。
【産業上の利用可能性】
【００３４】
本発明は、ユーザーが指定した任意の再生単位に対して、ユーザーが指定した映像設定値、音声設定値の記憶領域を、光ディスク上に配置することによって、プレイヤーに、映像設定値、音声設定値の記憶する設定情報記憶部や光ディスク識別部を必要とせず、ユーザーが指定した映像設定値、音声設定値を元に自動で映像・音声設定値を変更しながらプログラムやプログラムリストを再生するという用途にも適用できる。
【図面の簡単な説明】
【００３５】
【図１】本発明の実施形態における光ディスク記録・再生装置の構成を示すブロック図
【図２】本発明の実施形態における設定情報記録処理の動作手順について示すフロー図
【図３】本発明の実施形態における設定情報読込み処理の動作手順について示すフロー図
【図４】本発明の実施形態におけるディスク管理情報内に記録される映像・音声設定値の一例を示す模式図
【図５】従来の光ディスク再生装置の構成を示すブロック図
【符号の説明】
【００３６】
１    光ディスク
２    読込手段
３    書込手段
４    再生位置判断部
５    システム制御部
６    入力手段
７    映像データ加工部
８    音声データ加工部
９    再生手段
１１    プログラム管理情報
１２    プログラムのタイトル名
１３    ＩＴ＿ＴＸＴ＿ＳＲＰ
１４    ＩＴ＿ＴＸＴ
【図１】
2005310296.tif 000003
【図２】
2005310296.tif 000004
【図３】
2005310296.tif 000005
【図４】
2005310296.tif 000006
【図５】
2005310296.tif 000007